(57)【要約】【課題】室内照明に利用される発光装置を提供する。【解決手段】  発光ダイオード１と、導光体２と、コンバータ３とからなる。発光ダイオード１は導光体２の両側にそれぞれ設置され、発光ダイオード１の照射方向はそれぞれ導光体２の側辺に沿った方向である。導光体２内には光反射板２１が設けられ、反射板２１の一側は弧状を呈している。コンバータ３は予め設けられた電源供給装置４と接続され、発光ダイオード１が発光するのに必要な電力を供給する。発光ダイオード１から放射される光が導光体２に進入した後、弧状の面を有する光反射板２１が光を反射し、光を集中させて平行に導光体２の他側面から放射して導光体全体の輝度を高める。【選択図】  図１
0003116050.tif 000002
【実用新案登録請求の範囲】
【請求項１】
発光ダイオードと、導光体と、コンバータとからなり、
前記発光ダイオードは、前記導光体の両側にそれぞれ設置され、発光ダイオードの照射方向はそれぞれ導光体の側辺に沿った方向であり、
前記導光体内には光反射板が設けられ、前記光反射板の一面は弧状を呈しており、
前記コンバータは予め設けられた電源供給装置と接続され、前記発光ダイオードが発光するのに必要な電力を供給することを特徴とする発光装置。
【請求項２】
前記導光体は、透明材料、半透明材料または一部透光材料からなることを特徴とする請求項１記載の発光装置。
【請求項３】
前記導光体と光反射板とは、異なる材料によって一体成形されてなることを特徴とする請求項１記載の発光装置。
【請求項４】
前記光反射板は、さらに導光体の外部一側に貼設されることを特徴とする請求項１記載の発光装置。
【請求項５】
前記導光体の外側には、光反射材料がプリントされることを特徴とする請求項１記載の発光装置。
【請求項６】
前記コンバータは、交流、直流変圧器であることを特徴とする請求項１記載の発光装置。
【請求項７】
前記発光ダイオード、導光体およびコンバータは、支持台上に定位されることを特徴とする請求項１記載の発光装置。
【請求項８】
前記発光ダイオードは、導光体の一側に単独で設置され、発光ダイオードの照射方向は導光体の側辺に沿った方向であることを特徴とする請求項１記載の発光装置。
【考案の詳細な説明】
【技術分野】
【０００１】
本考案は発光装置に関し、特に光反射板を有する導光体を有し、発光ダイオードが光を照射するとき、その光が導光体の一側から進入し、弧状の光反射板に反射して光線を平行に放射し、導光体全体が発光して全体の輝度を高めることができる発光装置に関する。
【背景技術】
【０００２】
電灯の発明によって全人類の生活方式は大きく変わり、仮に電灯がない場合、夜間や天候が悪い時などは如何なる作業も行なうことができなくなる。照明に関して述べると、建物の建築様式や生活方式を大きく変えており、仮に照明がなかった場合、全人類の生活水準を高めることはできなかったはずである。蛍光灯、タングステン灯または省エネ電球などは日常生活において広く使用されている。しかし、これらの電灯は、劣化が早い、消費電力が多い、高熱が発生しやすい、寿命が短い、割れやすい、回収しにくいなどの欠点が存在する。従来技術である蛍光灯は演色性に劣り、真っ白の光はあまり歓迎されない。蛍光灯の発光原理は灯管の電極から電子が一秒間に１２０回高速に流動することによることから、つけたばかりのときや、電流が不安定なとき、ちらつきが発生し、近視の大きな原因となっていた。しかし、この問題は高周波電子式安定器を有する蛍光灯によって解決された。高周波電子式安定器は従来技術の蛍光灯の消費電力量を２０％低減し、点灯時、光波が非常に安定しているのでちらつきがなく、電源の電圧が変動したときや低温時においてもちらつきが発生しにくいので視力の保護に有用である。しかし、省エネ電球や省エネ蛍光灯の安定器は全て固定式であり、新しいものに交換する場合、安定器も一緒に廃棄しなければならず、蛍光灯が如何に消費電力を節約できるといっても、水銀が塗布されているので、廃棄後の環境への汚染が心配される。
【０００３】
従って、上述の従来技術の欠点を如何に解決するかが本業界に従事する者の解決したい問題であった。
【特許文献１】特開２０００−２９２７８６号公報
【特許文献２】特表２００１−５０５１０１号公報
【考案の開示】
【考案が解決しようとする課題】
【０００４】
本考案の目的は、発光ダイオードが導光体を照射し、その光は導光体の一側から進入し、弧状の光反射板に反射して光線を平行に放射し、導光体全体が発光して全体の輝度を高めることができ、室内照明に利用される発光装置を提供することにある。
【課題を解決するための手段】
【０００５】
上記の課題を解決するために、請求項１の考案は、発光ダイオードと、導光体と、コンバータとからなり、発光ダイオードは導光体の両側にそれぞれ設置され、発光ダイオードの照射方向はそれぞれ導光体の側辺に沿った方向であり、導光体内には光反射板が設けられ、光反射板の一面は弧状を呈しており、コンバータは予め設けられた電源供給装置と接続され、発光ダイオードが発光するのに必要な電力を供給することを特徴とする発光装置である。
【０００６】
請求項２の考案は、導光体は、透光材料、半透光材料または一部透光材料からなることを特徴とする請求項１記載の発光装置である。
【０００７】
請求項３の考案は、導光体と光反射板とは、異なる材料によって一体成形されてなることを特徴とする請求項１記載の発光装置である。
【０００８】
請求項４の考案は、光反射板は、さらに導光体の外部一側に貼設されることを特徴とする請求項１記載の発光装置である。
【０００９】
請求項５の考案は、導光体の外側には、光反射材料がプリントされることを特徴とする請求項１記載の発光装置である。
【００１０】
請求項６の考案は、コンバータは、交流、直流変圧器であることを特徴とする請求項１記載の発光装置である。
【００１１】
請求項７の考案は、発光ダイオード、導光体およびコンバータは、支持台上に定位されることを特徴とする請求項１記載の発光装置である。
【００１２】
請求項８の考案は、発光ダイオードは、導光体の一側に単独で設置され、発光ダイオードの照射方向は導光体の側辺に沿った方向であることを特徴とする請求項１記載の発光装置である。
【考案の効果】
【００１３】
発光ダイオードのアイドリング時間が必要ない、反応速度が速い、体積が小さい、消費電力が少ない、汚染が少ない、高輝度である、寿命が長いなどの特性を利用しており、発光ダイオードの光を直接導光体に照射し、導光体内の光反射板の弧状の面に反射させると、反射後の光が平行に放射され、導光体全体を発光させ、さらに輝度を高めることができる。従って、本発明の発光装置は一般の電灯として使用でき、電流が不安定なことによるちらつきが発生せず目にもやさしい。破損した場合には発光ダイオードだけを交換することができ、従来技術の電灯における高周波電子式安定器の問題も解決できる。
【考案を実施するための最良の形態】
【００１４】
上述の目的を達成するために採用した技術手段およびその構造を示す実施例を図に沿って詳細に説明する。
【００１５】
図１は本考案の第１実施例による発光装置を示す立体分解図である。図２は本考案の第１実施例による発光装置の発光構造を示すブロック図である。図から分かるように、本考案の発光装置は発光ダイオード１と、導光体２と、コンバータ３とから構成される。
【００１６】
発光ダイオード１は導光体２の両側にそれぞれ設置され、発光ダイオード１の照射方向はそれぞれ導光体の側辺に沿った方向であり、光は導光体２の両側から内部に照射される。
【００１７】
導光体２は、透明材料または半透明材料からなり、導光体２内の一側には光反射板２１が設けられ、光反射板２１の一面は弧状を呈しており、導光体２と光反射板２１とは、異なる材料によって一体成形することができる。
【００１８】
コンバータ３は、予め設けられた電源供給装置４と接続され、コンバータ３は交流、直流変圧器であり、発光ダイオード１が発光するのに必要な電力を供給する。
【００１９】
本考案による発光装置を使用するとき、先ず発光ダイオード１を導光体２の両側にそれぞれ設置し、コンバータ３によって電源供給装置４が提供する電圧を発光ダイオード１に適合する電圧に変換する。発光ダイオード１が導光体２の両側を照射し、光は媒質中を直進し、光が二種類の異なる媒質の境界面を進むとき、一部の光は同一の媒質中に反射し、反射した光は入射角と反射角とが等しい関係となり、入射光と反射光とが同じ平面内にあることになる。これは反射の法則と呼ばれ、光が凹面に進むとき、光が反射後に平行に放射され、光の強度が増す。従って、光が導光体２から内部に進入するとき、一部分の光は弧状の光反射板２１に進み、光が反射して導光体２の他側面から平行に放射され、導光体２全体の輝度が高められる。
【００２０】
上述の発光ダイオード１は、導光体２の両側に設置されるばかりでなく、導光体２の一側だけに設置してもよい。または導光体の両側に一つ以上の発光ダイオード１を設置して導光体２の全体の発光輝度を高めることもできる。この種の簡易な構造の変更は全て本考案に含まれる。
【００２１】
また、上述の光反射板２１は、導光体２内の一面に設置され、発光ダイオード１から放射される光が導光体２に進入した後、弧状の面を有する光反射板２１が光を反射し、光を集中させて平行に導光体２の他側面から放射して導光体全体の輝度を高める。また、上述の光反射板２１は導光体２内に設置されるだけではなく、光反射体２１を導光体２の外側に貼合したり、光反射材料を直接導光体２の外側にプリントすることもできる。その目的は導光体２内の光を反射させることであり、この種の簡易な構造の変更は全て本考案に含まれる。
【００２２】
図３は本考案の第２実施例による発光装置の発光構造を示すブロック図である。図４は本考案の第２実施例による発光装置を示す斜視図である。図から分かるように、本考案の発光ダイオード１、導光体２およびコンバータ３はモジュール化して生産でき、支持台５上に定位して一般の灯具として使用することができる。図４に示すように、支持台は使用者の必要に応じて縦または横に並べて設置できる。発光ダイオード１を交換するときは導光体２を支持台５から取り外すと発光ダイオード１を交換できる。
【００２３】
図５は本考案の第３実施例による発光装置の発光構造を示すブロック図である。図から分かるように、本発明の発光ダイオードは直接電源供給装置４から必要な電源の供給を受けることができ、コンバータ３を設置しなくても上述の実施例と同様の効果を得ることができる。
【００２４】
本発明の発光装置は、発光ダイオード１を導光体２の両側に設置しただけのものである。発光ダイオード２のアイドリング時間が必要ない、反応速度が速い、体積が小さい、消費電力が少ない、汚染が少ない、高輝度である、寿命が長いなどの特性を利用しており、発光ダイオード１の光を直接導光体２に照射し、導光体２内の光反射板２１の弧状の面に反射させると、反射後の光が平行に放射され、導光体２全体を発光させ、さらに輝度を高めることができる。従って、本発明の発光装置は一般の電灯として使用でき、電流が不安定なことによるちらつきが発生せず目にもやさしい。破損した場合には発光ダイオードだけを交換することができ、従来技術の電灯における高周波電子式安定器の問題も解決できる。
【００２５】
上述の詳細な説明は本考案の好適な実施例を示したものであり、本考案の範囲を制限するものではない。本考案の主旨を逸脱しない範囲における修飾や変更は全て本考案に含まれる。
【図面の簡単な説明】
【００２６】
【図１】本考案の第１実施例による発光装置を示す立体分解図である。
【図２】本考案の第１実施例による発光装置の発光構造を示すブロック図である。
【図３】本考案の第２実施例による発光装置の発光構造を示すブロック図である。
【図４】本考案の第２実施例による発光装置を示す斜視図である。
【図５】本考案の第３実施例による発光装置の発光構造を示すブロック図である。
【符号の説明】
【００２７】
１    発光ダイオード
２    導光体
２１  光反射板
３    コンバータ
４    電源供給装置
５    支持台
【図１】
0003116050.tif 000003
【図２】
0003116050.tif 000004
【図３】
0003116050.tif 000005
【図４】
0003116050.tif 000006
【図５】
0003116050.tif 000007